【手続補正書】
【提出日】平成18年12月21日(2006.12.21)
【手続補正１】
【補正対象書類名】明細書
【補正対象項目名】特許請求の範囲
【補正方法】変更
【補正の内容】
【特許請求の範囲】
【請求項１】  哺乳動物の皮膚内でのまたは皮膚への細胞の移動を調節するための組成物であって、該組成物は、有効量の以下：
ａ）ＣＴＡＣＫのアンタゴニスト；
ｂ）ＣＴＡＣＫのアゴニスト；
ｃ）Ｖｉｃのアンタゴニスト；または
ｄ）Ｖｉｃのアゴニスト
を含む、組成物。
【請求項２】  前記調節することが、ブロックすることであり、そして前記組成物が、ＣＴＡＣＫまたはＶｉｃのアンタゴニストを含む、請求項１に記載の組成物。
【請求項３】  請求項２に記載の組成物であって、ここで：
ａ）前記移動が：
ｉ）前記皮膚内；
ｉｉ）走化性；もしくは
ｉｉｉ）ケモキネシス性；
であるか、
ｂ）前記組成物が、局所的、表面的、皮下、皮内もしくは経皮的な投与に適しているか；
ｃ）前記細胞が：
ｉ）ＣＬＡ＋細胞；
ｉｉ）Ｔ細胞；
ｉｉｉ）樹状細胞；もしくは
ｉｖ）樹状細胞前駆体
であるか；または
ｅ）前記細胞が、前記皮膚の真皮層内および／もしくは表皮層内へと移動する、組成物。
【請求項４】  請求項２に記載の組成物であって、ここで：
ａ）前記アンタゴニストが、以下：
ｉ）天然のＣＴＡＣＫもしくＶｉｃのムテイン；
ｉｉ）ＣＴＡＣＫもしくはＶｉｃを中和する抗体；または
ｉｉｉ）ＧＰＲ２リガンドの結合をブロックする抗体
から選択され；
ｂ）前記哺乳動物が、移植片または皮膚移植片に供され；
ｃ）前記組成物が、抗生物質、鎮痛剤、免疫抑制治療剤、抗炎症薬物、増殖因子または免疫アジュバントと組み合わせて投与することに適している、組成物。
【請求項５】  前記調節する工程が、誘引する工程であり、そして前記投与する工程が、ＣＴＡＣＫまたはＶｉｃのアゴニストである、請求項１に記載の組成物。
【請求項６】  請求項５に記載の組成物であって、ここで：
ａ）前記移動が：
ｉ）前記皮膚内；
ｉｉ）走化性；もしくは
ｉｉｉ）ケモキネシス性；
であるか、
ｂ）前記組成物が、局所的、表面的、皮下、皮内もしくは経皮的な投与に適しており、ここで該組成物は、ＣＴＡＣＫもしくはＶｉｃのリガンドを含み；
ｃ）前記細胞が：
ｉ）ＣＬＡ＋細胞；
ｉｉ）Ｔ細胞；
ｉｉｉ）樹状細胞；もしくは
ｉｖ）樹状細胞前駆体
であるか；または
ｄ）前記細胞が、前記皮膚の真皮層内および／もしくは表皮層内へと移動する、組成物。
【請求項７】  請求項５に記載の組成物であって、ここで：
ａ）前記アゴニストが、以下：
ｉ）ＣＴＡＣＫもしくＶｉｃ；または
ｉｉ）ＧＰＲ２リガンド
から選択され；
ｂ）前記哺乳動物が、皮膚の損傷を受けており；
ｃ）前記組成物が、抗生物質、鎮痛剤、免疫抑制治療剤、抗炎症薬物、増殖因子または免疫アジュバントと組み合わせて投与することに適している、組成物。
【請求項８】  細胞集団を精製する方法であって、該方法が、該細胞をＣＴＡＣＫまたはＶｉｃと接触させ、それにより、該ＣＴＡＣＫまたは該Ｖｉｃについてのレセプターを発現する細胞が同定される工程を包含する、方法。
【請求項９】  前記接触させる工程が、精製のための部位への前記細胞の特異的移動をもたらす、請求項８に記載の方法。
【請求項１０】  前記移動が、膜孔を通してである、請求項８に記載の方法。
【請求項１１】  リガンド：レセプター複合体を産生する方法であって、該方法は、以下：
ａ）哺乳動物ＣＴＡＣＫをＧＰＲ２レセプターと接触させるか；または
ｂ）哺乳動物ＶｉｃをＧＰＲ２レセプターと接触させ、
それにより、該複合体が形成されるのを可能にする工程を包含し；
ここで、該リガンドまたは該レセプターのうちの少なくとも１つは、組換え体であるかまたは精製されている、方法。
【請求項１２】  請求項１１に記載の方法であって、ここで：
ａ）前記複合体が、Ｃａ＋＋フラックスをもたらすか；
ｂ）前記ＧＰＲ２レセプターが細胞上に存在するか；
ｃ）前記複合体形成が、前記ＧＰＲ２レセプターを発現する細胞において生理学的変化をもたらすか；
ｄ）前記接触させる工程が、ＩＬ−２および／もしくはインターフェロン−αと組み合わされるか；または
ｅ）前記接触させる工程が、前記リガンドの定量的検出を可能にする、
方法。
【請求項１３】  ＧＰＲ２発現細胞の生理機能または発生を調節するための組成物であって、該組成物は、哺乳動物のＶｉｃまたはＣＴＡＣＫのアゴニストまたはアンタゴニストを含み、ここで該ＧＰＲ２レセプターまたは該アゴニストもしくはアンタゴニストのうちの一つが組換え体であるかまたは精製されており、該組成物は、該細胞への接触に適している、組成物。
【請求項１４】  請求項１３に記載の組成物であって、ここで：
Ａ）前記アンタゴニストが：
１）抗体であって：
ａ）前記哺乳動物Ｖｉｃを中和する抗体；
ｂ）前記哺乳動物ＣＴＡＣＫを中和する抗体；もしくは
ｃ）ＧＰＲ２によるリガンド結合をブロックする抗体；または
２）該Ｖｉｃもしくは該ＣＴＡＣＫのムテインであるか；あるいは
Ｂ）前記生理機能が、以下：
１）細胞カルシウムフラックス；
２）化学誘引物質応答；
３）細胞の形態改変応答；
４）ホスホイノシチド脂質代謝回転；もしくは
５）抗ウイルス応答
から選択される、組成物。
【請求項１５】  請求項１４に記載の組成物であって、ここで：
ａ）前記アンタゴニストが抗体であり、そして前記生理機能が化学誘引物質応答であるか；または
ｂ）前記調節することがブロックすることであり、そして前記生理機能が炎症応答である、組成物。
【請求項１６】  ＧＰＲ２レセプター−リガンド相互作用に影響を与える能力について化合物を試験する方法であって、該方法は、ＧＰＲ２とＶｉｃまたはＣＴＡＣＫとの相互作用を該化合物の存在下と非存在下とで比較する工程を包含する、方法。
【請求項１７】  前記化合物が、ＧＰＲ２、ＶｉｃまたはＣＴＡＣＫに対する抗体である、請求項１６に記載の方法。
【請求項１８】  ＭＧＴＥＶＬＥＱ（配列番号２を参照）の配列を含む、霊長類ＧＰＲ２。
【請求項１９】  請求項１８に記載のＧＰＲ２をコードする、核酸。
【請求項２０】  ＭＧＴＥＶＬＥＱ（配列番号２を参照）に選択的に結合する、抗体。
【請求項２１】  哺乳動物の皮膚内でのまたは皮膚への細胞の移動を調節するための医薬品の製造のための、有効量の以下：
ａ）ＣＴＡＣＫのアンタゴニスト；
ｂ）ＣＴＡＣＫのアゴニスト；
ｃ）Ｖｉｃのアンタゴニスト；または
ｄ）Ｖｉｃのアゴニスト
の使用。
【請求項２２】  前記調節することが、ブロックすることであり、そして前記医薬品が、ＣＴＡＣＫまたはＶｉｃのアンタゴニストを含む、請求項２１に記載の使用。
【請求項２３】  請求項２２に記載の使用であって、ここで：
ａ）前記移動が：
ｉ）前記皮膚内；
ｉｉ）走化性；もしくは
ｉｉｉ）ケモキネシス性；
であるか、
ｂ）前記医薬品が、局所的、表面的、皮下、皮内もしくは経皮的に投与することに適しているか；
ｃ）前記細胞が：
ｉ）ＣＬＡ＋細胞；
ｉｉ）Ｔ細胞；
ｉｉｉ）樹状細胞；もしくは
ｉｖ）樹状細胞前駆体
であるか；または
ｄ）前記細胞が、前記皮膚の真皮層内および／もしくは表皮層内へと移動する、使用。
【請求項２４】  請求項２２に記載の使用であって、ここで：
ａ）前記アンタゴニストが、以下：
ｉ）天然のＣＴＡＣＫもしくＶｉｃのムテイン；
ｉｉ）ＣＴＡＣＫもしくはＶｉｃを中和する抗体；または
ｉｉｉ）ＧＰＲ２リガンドの結合をブロックする抗体
から選択され；
ｂ）前記哺乳動物が、移植片または皮膚移植片に供され；
ｃ）前記医薬品が、抗生物質、鎮痛剤、免疫抑制治療剤、抗炎症薬物、増殖因子または免疫アジュバントと組み合わせて投与することに適している、使用。
【請求項２５】  前記調節することが、誘引することであり、そして前記医薬品が、ＣＴＡＣＫまたはＶｉｃのアゴニストを含む、請求項２１に記載の使用。
【請求項２６】  請求項２５に記載の使用であって、ここで：
ａ）前記移動が：
ｉ）前記皮膚内；
ｉｉ）走化性；もしくは
ｉｉｉ）ケモキネシス性；
であるか、
ｂ）前記医薬品が、局所的、表面的、皮下、皮内もしくは経皮的な投与に適しており、ここで該医薬品がＣＴＡＣＫもしくはＶｉｃのリガンドを含むか；
ｃ）前記細胞が：
ｉ）ＣＬＡ＋細胞；
ｉｉ）Ｔ細胞；
ｉｉｉ）樹状細胞；もしくは
ｉｖ）樹状細胞前駆体
であるか；または
ｄ）前記細胞が、前記皮膚の真皮層内および／もしくは表皮層内へと移動する、使用。
【請求項２７】  請求項２５に記載の使用であって、ここで：
ａ）前記アゴニストが、以下：
ｉ）ＣＴＡＣＫもしくＶｉｃ；または
ｉｉ）ＧＰＲ２リガンド
から選択され；
ｂ）前記哺乳動物が、皮膚の損傷を受けており；
ｃ）前記医薬品が、抗生物質、鎮痛剤、免疫抑制治療剤、抗炎症薬物、増殖因子または免疫アジュバントと組み合わせて投与することに適している、使用。
【請求項２８】  ＧＰＲ２発現細胞の生理機能または発生を調節するための医薬品の製造のための、哺乳動物のＶｉｃまたはＣＴＡＣＫのアゴニストまたはアンタゴニストの使用であって、ここで該ＧＰＲ２レセプターまたは該アゴニストもしくはアンタゴニストのうちの一つが組換え体であるかまたは精製されており、該医薬品は、細胞への接触に適している、使用。
【請求項２９】  請求項２８に記載の使用であって、ここで：
Ａ）前記アンタゴニストが：
１）抗体であって：
ａ）前記哺乳動物Ｖｉｃを中和する抗体；
ｂ）前記哺乳動物ＣＴＡＣＫを中和する抗体；もしくは
ｃ）ＧＰＲ２によるリガンド結合をブロックする抗体；または
２）該Ｖｉｃもしくは該ＣＴＡＣＫのムテインであるか；あるいは
Ｂ）前記生理機能が、以下：
１）細胞カルシウムフラックス；
２）化学誘引物質応答；
３）細胞の形態改変応答；
４）ホスホイノシチド脂質代謝回転；もしくは
５）抗ウイルス応答
から選択される、使用。
【請求項３０】  請求項２９に記載の使用でであって、ここで：
ａ）前記アンタゴニストが抗体であり、そして前記生理機能が化学誘引物質応答であるか；または
ｂ）前記調節することがブロックすることであり、そして前記生理機能が炎症応答である、使用。